(57)【要約】【課題】固定ガイドを有する釣り竿において、視力の弱い人でも効率良く釣り糸を通すことが可能な釣り糸通し具を提供する。【解決手段】釣り糸通し具１は、棒状であって、一方の端部１１から他方の端部１２にまで至る貫通孔１３を有する筒状部材１０と、貫通孔１３に挿通可能な線状部材２０と、を備える。線状部材２０は、線状部材２０の少なくとも一方の端部２０Ａに配置され、釣り糸４１を係止する糸止め部２０２を含む。【選択図】図１
2020078248.tif 000002
【特許請求の範囲】
【請求項１】
棒状であって、一方の端部から他方の端部にまで至る貫通孔を有する筒状部材と、
前記貫通孔に挿通可能な線状部材と、を備え、
前記線状部材は、前記線状部材の少なくとも一方の端部に配置され、釣り糸を係止する糸止め部を含む、釣り糸通し具。
【請求項２】
前記筒状部材には、長手方向に延在し、前記貫通孔に連通するスリットが前記筒状部材の一方の端部から他方の端部にまで至るように形成されている、請求項１に記載の釣り糸通し具。
【請求項３】
前記筒状部材は、前記線状部材よりも短い、請求項２に記載の釣り糸通し具。
【請求項４】
前記筒状部材は、長手方向の一方の端部に近付くにしたがって外径が小さくなるテーパー形状を有する、請求項２または請求項３に記載の釣り糸通し具。
【請求項５】
前記筒状部材を構成する材料は、ステンレス鋼である、請求項１から請求項４のいずれか１項に記載の釣り糸通し具。
【発明の詳細な説明】
【技術分野】
【０００１】
この発明は、釣り糸通し具に関するものである。
【背景技術】
【０００２】
釣り竿のガイドに釣り糸を通すために、釣り糸通し具が用いられる場合がある（たとえば、特許文献１参照）。特許文献１においては、Ｖ字溝が形成されており、内部に磁石を含む本体部と、一方の端部に糸止め部が形成されており、磁性体製のコイルスプリングからなる糸通し部と、を備える釣り糸通し具が開示されている。
【先行技術文献】
【特許文献】
【０００３】
【特許文献１】特開２０００−１２５７３４号公報
【発明の概要】
【発明が解決しようとする課題】
【０００４】
ガイドには、竿本体部に固定して取り付けられている固定ガイドと、竿本体部に沿って移動可能な遊動ガイドとがある。ガイドに釣り糸を通す際に、遊動ガイドの場合には１つの箇所に複数のガイドを集めてから釣り糸を通すことができる。一方で固定ガイドの場合には、１つずつガイドに釣り糸を通す必要があるため、時間を要する。特に、黒鯛のかかり釣り等においては、固定ガイドで小径のガイドを含む釣り竿が用いられる。視力の弱い人の場合には、小径のガイドに釣り糸を通すことが困難となる。釣り場において天候が悪くなったり、風が強くなったりすると、小径のガイドに釣り糸を通すことがより一層困難となる。
【０００５】
そこで、固定ガイドを有する釣り竿において、視力の弱い人でも効率良く釣り糸を通すことが可能な釣り糸通し具を提供することを目的の１つとする。
【課題を解決するための手段】
【０００６】
本願の釣り糸通し具は、棒状であって、一方の端部から他方の端部にまで至る貫通孔を有する筒状部材と、貫通孔に挿通可能な線状部材と、を備える。線状部材は、線状部材の少なくとも一方の端部に配置され、釣り糸を係止する糸止め部を含む。
【発明の効果】
【０００７】
上記釣り糸通し具によれば、固定ガイドを有する釣り竿において、視力の弱い人でも効率良く釣り糸を通すことができる。
【図面の簡単な説明】
【０００８】
【図１】実施の形態１における釣り糸通し具の構造を示す概略斜視図である。
【図２】ガイドに釣り糸通し具を挿通した状態を示す概略図である。
【図３】釣り糸通し具を用いて釣り竿に釣り糸を通す手順を説明するための概略図である。
【図４】釣り糸通し具を用いて釣り竿に釣り糸を通す手順を説明するための概略図である。
【図５】実施の形態２における筒状部材の構造を示す概略斜視図である。
【図６】ガイドのリングに筒状部材を挿通する状態を示す概略図である。
【図７】筒状部材をガイドのリングに挿通する状態を示す概略図である。
【図８】筒状部材がガイドのリングに当接した状態を示す概略図である。
【図９】釣り糸通し具を用いて釣り竿に釣り糸を通す手順を説明するための概略図である。
【図１０】釣り糸通し具を用いて釣り竿に釣り糸を通す手順を説明するための概略図である。
【図１１】釣り糸通し具を用いて釣り竿に釣り糸を通す手順を説明するための概略図である。
【図１２】釣り糸通し具を用いて釣り竿に釣り糸を通す手順を説明するための概略図である。
【発明を実施するための形態】
【０００９】
［実施形態の概要］
本願の釣り糸通し具は、棒状であって、一方の端部から他方の端部にまで至る貫通孔を有する筒状部材と、貫通孔に挿通可能な線状部材と、を備える。線状部材は、線状部材の少なくとも一方の端部に配置され、釣り糸を係止する糸止め部を含む。
【００１０】
本願の釣り糸通し具は、筒状部材と、線状部材と、を備える。このような釣り糸通し具は、例えば以下のように使用することができる。まず、筒状部材に線状部材が挿通された釣り糸通し具を準備する。線状部材の糸止め部が手元側に配置されるようにガイドのリングに釣り糸通し具を挿通する。この際に、筒状部材は剛性を有するため、ガイドのリングに筒状部材を挿通することが容易となる。そして、糸止め部に釣り糸を係止する。線状部材を竿本体部の先端側に引き出し、筒状部材の内部に釣り糸を挿通する。最後に、筒状部材をガイドのリングから引き出す。このような釣り糸通し具によれば、固定ガイドを有する釣り竿において、ガイドのリングに１つずつ釣り糸を通す手間を省いて、効率良く釣り糸を通すことができる。特に、固定ガイドで小径のリングを含む釣り竿に対して、釣り糸を通すことが容易となる。
【００１１】
したがって、本願の釣り糸通し具によれば、固定ガイドを有する釣り竿において、視力の弱い人でも効率良く釣り糸を通すことができる。
【００１２】
上記釣り糸通し具における筒状部材には、長手方向に延在し、貫通孔に連通するスリットが筒状部材の一方の端部から他方の端部にまで至るように形成されてもよい。筒状部材の一方の端部から他方の端部にまで至るように上記スリットが形成されていることで、筒状部材の内部に挿通されている釣り糸はスリットに通されて、釣り糸と、筒状部材とを分離することができる。その結果、筒状部材を釣り糸の先端まで引き出さなくても、釣り糸の途中の部分において釣り糸と筒状部材とを分離することが出来る。したがって、筒状部材を釣り竿から容易に取り除くことができる。
【００１３】
上記釣り糸通し具において、筒状部材は、線状部材よりも短くてもよい。このような構成とすることで、竿を分解した時の１本分の長さよりも筒状部材の長さを短くすることができる。固定ガイドを含む釣り竿において、ガイドのリングの内径は竿本体部の先端に近付くにしたがって小さくなる。筒状部材の外径を竿本体部の先端に配置されているガイドのリングの内径に合わせると、筒状部材の肉厚が薄くなり、筒状部材の強度が低下する。このような場合、ガイドのリングから筒状部材を引き出す際や、筒状部材を保管し、又は運搬する際に、筒状部材が折れ曲がってしまうおそれがある。上記のように筒状部材の長さを短くすることで、筒状部材の外径を竿本体部の手元側に配置されるガイドのリングの内径に合わせることができる。このため、筒状部材の外径をリングの内径に合せて大きくし、筒状部材の肉厚を大きくすることができる。したがって、筒状部材の強度を高くすることができる。
【００１４】
上記釣り糸通し具において、筒状部材は、長手方向の一方の端部に近付くにしたがって外径が小さくなるテーパー形状を有してもよい。このような釣り糸通し具は、例えば以下のように使用することができる。竿本体部の手元側からガイドに釣り糸通し具を挿通する。この際に、筒状部材の外径とガイドのリングの内径とが一致したところで、竿本体部の先端側への筒状部材の移動を規制することができる。次に、線状部材を竿本体部の先端側に引き出して、筒状部材の内部に釣り糸を挿通する。この際に、筒状部材の移動が規制されていることで、線状部材を引き出すことが容易となる。最後に、筒状部材を竿本体部の手元側に引き出し、スリットを利用して、筒状部材と釣り糸とを分離する。
【００１５】
上記釣り糸通し具において、筒状部材を構成する材料は、ステンレス鋼であってもよい。このようにすることで、筒状部材の剛性を高くすることができる。また、海水が付着した釣り糸が筒状部材に接触しても、筒状部材の腐食が抑制される。
【００１６】
［実施形態の具体例］
次に、本発明の釣り糸通し具の一実施の形態を、図面を参照しつつ説明する。以下の図面において同一または相当する部分には同一の参照番号を付しその説明は繰返さない。
【００１７】
（実施の形態１）
まず、本発明の一実施の形態における釣り糸通し具について説明する。図１は、実施の形態１における釣り糸通し具の構造を示す概略斜視図である。図１を参照して、釣り糸通し具１は、筒状部材１０と、線状部材２０と、を備える。釣り糸通し具１は、釣り竿のガイドに釣り糸を通すための器具である。なお、図１において、矢印αは筒状部材の長手方向に沿った向きである。
【００１８】
図２は、ガイドに本実施の形態における釣り糸通し具１を挿通した状態を示す概略図である。図２において矢印βは、竿本体部の長手方向に沿った向きである。図２を参照して、本実施の形態における釣り糸通し具１は、黒鯛のかかり釣り等に用いられる釣り竿２に用いることができる。釣り竿２は、棒状の竿本体部３０と、ガイド３１，３２，３３，３４，３５とを含む。竿本体部３０は、複数の部分を長手方向に連結して使用される竿の場合、竿を分解した時の先端を含む部分に相当する。ガイド３１，３２，３３，３４，３５は、竿本体部３０の外周面上に竿本体部３０の長手方向に並んで配置されている。ガイド３１，３２，３３，３４，３５は、竿本体部３０の長手方向に間隔をあけて配置されている。本実施の形態において、ガイド３１，３２，３３，３４，３５は、竿本体部３０に固定して取り付けられている固定ガイドである。ガイド３１，３２，３３，３４，３５のそれぞれは、接続部３１１，３２１，３３１，３４１，３５１と、接続部３１１，３２１，３３１，３４１，３５１によって竿本体部３０に対して支持される円環状のリング３１２，３２２，３３２，３４２，３５２とを含む。リング３１２，３２２，３３２，３４２，３５２の内径は、竿本体部３０の先端に近付くにしたがって徐々に小さくなる。本実施の形態において、リング３５２の内径Ｌ３は、例えば１．５ｍｍ程度である。
【００１９】
図１および図２を参照して、筒状部材１０は、金属製である。本実施の形態において、筒状部材１０を構成する材料は、ステンレス鋼である。本実施の形態における筒状部材１０は、丸棒状の形状を有する。筒状部材１０には、第１の端部１１から第２の端部１２にまで至る貫通孔１３が形成されている。すなわち、筒状部材１０は、中空円筒状の形状を有する。本実施の形態において、筒状部材１０の外径Ｌ１は、ガイド３５のリング３５２の内径Ｌ３よりもやや小さい。したがって、筒状部材１０は、全てのリング３１２，３２２，３３２，３４２，３５２に挿通可能である。本実施の形態における筒状部材１０の外径Ｌ１は、例えば１．３ｍｍ程度である。本実施の形態における筒状部材１０の内径Ｌ２は、例えば１ｍｍ程度である。
【００２０】
線状部材２０は、金属製である。本実施の形態において、線状部材２０はワイヤーであり、線状部材２０を構成する材料はステンレス鋼である。線状部材２０は、筒状部材１０の貫通孔１３に挿通可能である。線状部材２０の長さは、筒状部材１０の長さよりも長い。このため、線状部材２０が筒状部材１０に挿通されると、筒状部材１０から線状部材２０の一部の領域が露出する。線状部材２０は、線状の本体部２０１と、糸止め部２０２とを含む。糸止め部２０２は、線状部材２０の一方の端部２０Ａに配置されている。糸止め部２０２は、本体部２０１の長手方向に対して湾曲する第１湾曲部２１１および第２湾曲部２１２を含む。第１湾曲部２１１および第２湾曲部２１２は、それぞれ線状である。第１湾曲部２１１および第２湾曲部２１２は、本体部２０１の一方の端部側から連なって形成されている。第１湾曲部２１１および第２湾曲部２１２において、本体部２０１が位置する側とは反対側の端部同士は互いに接続されている。第１湾曲部２１１と第２湾曲部２１２との間隔は、端部２０Ａに近付くにしたがって狭くなる。このようにして、第１湾曲部２１１および第２湾曲部２１２によって囲まれた空間Ｓが形成される。空間Ｓは、釣り糸４１を挿入可能な形状を有する。第１湾曲部２１１および第２湾曲部２１２によって釣り糸を挟むことにより、釣り糸を係止することができる。
【００２１】
次に、本実施の形態の釣り糸通し具１を用いて釣り竿２に釣り糸を通す手順について説明する。図３および図４は、本実施の形態の釣り糸通し具１を用いて釣り竿２に釣り糸４１を通す手順を説明するための概略図である。
【００２２】
図１を参照して、まず、筒状部材１０に線状部材２０が挿通された釣り糸通し具１を準備する。線状部材２０を筒状部材１０の第１の端部１１側から挿入して、矢印αの向きに挿通する。この時に線状部材２０の一部の領域は、筒状部材１０から露出している。
【００２３】
次に、図１および図２を参照して、竿本体部３０のガイド３１，３２，３３，３４，３５のリング３１２，３２２，３３２，３４２，３５２に釣り糸通し具１を挿通する。釣り糸通し具１は、ガイド３１側から矢印βの向きに挿通される。線状部材２０の糸止め部２０２が手元側に配置されるように挿通される。次に、糸止め部２０２に釣り糸４１を係止する。釣り糸４１を空間Ｓに挿入し、第１湾曲部２１１および第２湾曲部２１２によって釣り糸４１を挟むようにして釣り糸４１を係止する。
【００２４】
次に、図２および図３を参照して、線状部材２０の筒状部材１０から露出した領域２０３を把持して、矢印βの向きに線状部材２０を引き出す。この時に、筒状部材１０が矢印βの向きに移動しないように固定しておく。このようにして、釣り糸４１を筒状部材１０の内部に挿通することができる。そして、筒状部材１０の第２の端部１２から釣り糸４１が露出するように引き出される。
【００２５】
次に、図３および図４を参照して、筒状部材１０がリング３１２，３２２，３３２，３４２，３５２から引き出される。糸止め部２０２に係止されている釣り糸４１を取り外し、筒状部材１０のみを矢印βの向きに引き出して、筒状部材１０を取り除く。このようにして、リング３１２，３２２，３３２，３４２，３５２に釣り糸４１を通すことができる。
【００２６】
ここで、本実施の形態における釣り糸通し具１によれば、固定ガイドを有する釣り竿２において、ガイド３１，３２，３３，３４，３５のリング３１２，３２２，３３２，３４２，３５２に１つずつ釣り糸４１を通す手間を省いて、効率良く釣り糸４１を通すことができる。特に、固定ガイドで小径のリング３１２，３２２，３３２，３４２，３５２を含む釣り竿２に対しても、釣り糸４１を通すことが容易となる。
【００２７】
上記実施の形態において、筒状部材１０を構成する材料は、ステンレス鋼である。このようにすることで、筒状部材１０の剛性を高くすることができる。また、海水が付着した釣り糸４１が筒状部材１０に接触しても、筒状部材１０の腐食が抑制される。
【００２８】
上記実施の形態において、筒状部材１０および線状部材２０を構成する材料は、ステンレス鋼である場合について説明したが、これに限られるものではなく、筒状部材１０および線状部材２０は樹脂製であってもよい。より具体的には、筒状部材１０および線状部材２０を構成する材料は、硬質の樹脂、例えばポリプロピレン、ポリエチレンテレフタレートまたはポリ塩化ビニル等であってもよい。
【００２９】
なお、上記実施の形態においては、線状部材２０を筒状部材１０から引き出した後に、筒状部材１０をリング３１２，３２２，３３２，３４２，３５２から引き出す場合について説明したが、これに限られるものではなく、図２のように釣り糸通し具１をリング３１２，３２２，３３２，３４２，３５２に挿通した後に、線状部材２０および筒状部材１０を同時に矢印βの向きに引き出してもよい。このようにすることで、さらに効率良く釣り糸４１をリング３１２，３２２，３３２，３４２，３５２に通すことができる。
【００３０】
（実施の形態２）
次に、本発明の釣り糸通し具１の実施の形態２について説明する。実施の形態２における釣り糸通し具１は、基本的に実施の形態１と同様の構成を有し、同様の効果を奏する。しかしながら、実施の形態２においては、筒状部材１０の構造が実施の形態１の場合と異なっている。以下、実施の形態１と異なる点について主に説明する。
【００３１】
図５は、実施の形態２における筒状部材１０の構造を示す概略斜視図である。図６は、ガイド３１，３２，３３のリング３１２，３２２，３３２に筒状部材１０を挿通した状態を示す概略図である。図５および図６を参照して、筒状部材１０には、筒状部材１０の第１の端部１１から第２の端部１２にまで至るスリット１４が形成されている。スリット１４は、筒状部材１０の長手方向に沿って形成されている。スリット１４は、貫通孔１３と連通する。スリット１４の幅Ｌ４は、釣り糸４１の径よりも大きい。本実施の形態における筒状部材１０の幅Ｌ４は、例えば１ｍｍ程度である。筒状部材１０の長さは、線状部材２０の長さよりも短い。本実施の形態における筒状部材１０の長さは、ガイド３１からガイド３４までに相当する竿本体部３０の長さよりも短い。
【００３２】
筒状部材１０は、第２の端部１２に近付くにしたがって外径が小さくなるテーパー形状を有する。すなわち、筒状部材１０の第１の端部１１側の外径Ｌ３は、第２の端部１２側の外径Ｌ５よりも大きい。本実施の形態における筒状部材１０の外径Ｌ３は例えば２．８ｍｍ程度であり、筒状部材１０の外径Ｌ５は例えば２．３ｍｍ程度である。なお、本実施の形態における筒状部材１０の内径Ｌ２は、実施の形態１の場合と同程度である。
【００３３】
図７は、筒状部材１０をガイドのリングに挿通する状態を示す概略図である。図８は、筒状部材１０がガイドのリングに当接した状態を示す概略図である。図６、図７および図８を参照して、筒状部材１０はガイド３１側から挿入され、矢印βの向きに挿通される。矢印βの方向から平面的に見て、筒状部材１０の外径Ｌ７よりもガイド３３のリング３３２の内径Ｌ６が小さい場合には、筒状部材１０は矢印βの向きに移動可能である。矢印βの方向から平面的に見て、筒状部材１０の外径Ｌ７と、ガイド３３のリング３３２の内径Ｌ６とが一致したところで、筒状部材１０の矢印βの向きへの移動が規制される。図８においては、筒状部材１０の外壁面と、リング３３２の内壁面とは接触点Ｔ１、Ｔ２で当接している。
【００３４】
次に、本実施の形態の釣り糸通し具１を用いて釣り竿２に釣り糸を通す手順について説明する。図９、図１０、図１１および図１２は、本実施の形態の釣り糸通し具１を用いて釣り竿２に釣り糸を通す手順を説明するための概略図である。なお、図９において、矢印γの向きは、矢印βの反対の向きを示す。
【００３５】
図６を参照して、まず、筒状部材１０をリング３１２，３２２，３３２に挿通する。筒状部材１０の第２の端部１２側をガイド３１のリング３１２に挿入して、矢印βの向きに筒状部材１０を挿通する。筒状部材１０は、矢印βの方向から平面的に見て、筒状部材１０の外径Ｌ７と、ガイド３３のリング３３２の内径Ｌ６とが一致したところで、矢印βの向きへの筒状部材１０の移動が規制される。その結果、筒状部材１０は、リング３１２，３２２，３３２によって保持される。なお、ガイド３４，３５のリング３４２，３５２には、筒状部材１０は挿通されていない。
【００３６】
次に、図６および図９を参照して、筒状部材１０に線状部材２０が挿通される。線状部材２０は、筒状部材１０の第１の端部１１側から貫通孔１３に挿入して、矢印βの向きに挿通される。この際に、線状部材２０の糸止め部２０２が手元側に配置されるように挿通される。線状部材２０の剛性によって、筒状部材１０が挿通されていないガイド３４，３５のリング３４２，３５２にも、線状部材２０を挿通することができる。次に、糸止め部２０２に釣り糸４１を係止する。
【００３７】
次に、図９および図１０を参照して、線状部材２０を矢印βの向きに引き出す。この際に、筒状部材１０は矢印βの向きへの移動が規制されているため、線状部材２０を引き出すことが容易となる。このようにして、釣り糸４１を筒状部材１０の内部に挿通することができる。そして、釣り糸４１がリング３４２，３５２に挿通されるように線状部材２０を引き出す。
【００３８】
次に、図１０、図１１および図１２を参照して、筒状部材１０だけをリング３１２，３２２，３３２から矢印γの向きに引き出す。筒状部材１０のスリット１４に釣り糸４１を通して、釣り糸４１と筒状部材１０とを分離し、筒状部材１０が取り除かれる。このようにして、リング３１２，３２２，３３２，３４２，３５２に釣り糸４１を通すことができる。
【００３９】
上記実施の形態２の構造を有する釣り糸通し具１によっても、実施の形態１と同様に、固定ガイドを有する釣り竿２において、効率良く釣り糸４１を通すことができる。
【００４０】
上記実施の形態における筒状部材１０には、長手方向に延在し、貫通孔１３に連通するスリット１４が筒状部材１０の第１の端部１１から第２の端部１２にまで至るように形成されている。筒状部材１０の第１の端部１１から第２の端部１２にまで至るようにスリット１４が形成されていることで、筒状部材１０の内部に挿通されている釣り糸４１はスリット１４に通されて、釣り糸４１と、筒状部材１０とを分離することができる。その結果、筒状部材１０を釣り糸４１の先端まで引き出さなくても、釣り糸４１の途中の部分において釣り糸４１と筒状部材１０とを分離することが出来る。したがって、筒状部材１０を釣り竿２から容易に取り除くことができる。
【００４１】
上記実施の形態において、筒状部材１０は、線状部材２０よりも短い。このような構成とすることで、竿を分解した時の１本分の長さよりも筒状部材１０の長さを短くすることができる。固定ガイドを有する釣り竿２において、ガイド３１，３２，３３，３４，３５のリング３１２，３２２，３３２，３４２，３５２の内径は、矢印βの方向から平面的に見て、竿本体部３０の先端に近付くにしたがって小さくなる。筒状部材１０の外径を竿本体部３０の先端に配置されているガイド３５のリング３５２の内径に合わせると、筒状部材１０の肉厚が薄くなり、筒状部材１０の強度が低下する。このような場合、リング３１２，３２２，３３２，３４２，３５２から筒状部材１０を引き出す際や、筒状部材１０を保管し、又は運搬する際に、筒状部材１０が折れ曲がってしまうおそれがある。上記のように筒状部材１０の長さを短くすることで、筒状部材１０の外径を竿本体部３０の手元側に配置されるガイド３３のリング３３２の内径に合わせることができる。このため、筒状部材１０の外径をリング３３２の内径に合せて大きくし、筒状部材１０の肉厚を大きくすることができる。したがって、筒状部材１０の強度を高くすることができる。
【００４２】
上記実施の形態において、筒状部材１０はガイド３１，３２，３３に挿通される場合について説明したが、これに限られるものではなく、筒状部材１０は、ガイド３１からガイド３２，３３，３４，３５のうちのいずれか１つのガイドまでを挿通するようにしてもよい。
【００４３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４４】
本願の釣り糸通し具は、固定ガイドを有する釣り竿において、視力の弱い人でも効率良く釣り糸を通すことが求められる場合に、特に有利に適用され得る。
【符号の説明】
【００４５】
１  釣り糸通し具、２  釣り竿、１０  筒状部材、１１  第１の端部、１２  第２の端部、１３  貫通孔、１４  スリット、２０  線状部材、２０Ａ  端部、３０  竿本体部、３１，３２，３３，３４，３５  ガイド、４１  釣り糸、２０１  本体部、２０２  糸止め部、２０３  領域、２１１  第１湾曲部、２１２  第２湾曲部、３１１，３２１，３３１，３４１，３５１  接続部、３１２，３２２，３３２，３４２，３５２  リング。
【図１】
2020078248.tif 000003
【図２】
2020078248.tif 000004
【図３】
2020078248.tif 000005
【図４】
2020078248.tif 000006
【図５】
2020078248.tif 000007
【図６】
2020078248.tif 000008
【図７】
2020078248.tif 000009
【図８】
2020078248.tif 000010
【図９】
2020078248.tif 000011
【図１０】
2020078248.tif 000012
【図１１】
2020078248.tif 000013
【図１２】
2020078248.tif 000014
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
棒状であって、一方の端部から他方の端部にまで至る貫通孔を有する金属製の筒状部材と、
前記貫通孔に挿通可能な線状部材と、を備え、
前記線状部材は、前記線状部材の少なくとも一方の端部に配置され、釣り糸を係止した状態で前記筒状部材の前記一方の端部から前記他方の端部まで前記貫通孔内を通過することにより、前記貫通孔を前記釣り糸が貫通する糸止め部を含む、釣り糸通し具。
【請求項２】
前記筒状部材には、長手方向に延在し、前記貫通孔に連通するスリットが前記筒状部材の一方の端部から他方の端部にまで至るように形成されている、請求項１に記載の釣り糸通し具。
【請求項３】
前記筒状部材は、前記線状部材よりも短い、請求項２に記載の釣り糸通し具。
【請求項４】
前記筒状部材は、長手方向の一方の端部に近付くにしたがって外径が小さくなるテーパー形状を有する、請求項２または請求項３に記載の釣り糸通し具。
【請求項５】
前記筒状部材を構成する材料は、ステンレス鋼である、請求項１から請求項４のいずれか１項に記載の釣り糸通し具。